(57)【要約】【課題】  ガイドレール等の部品点数を減少させ、全開位置にある引出しの支持部材に過大な負荷をかけない洗面化粧台を提供する。【解決手段】  台輪部２の前面に開口してその内部に引出し３が出し入れされる収納スペース５を備えた洗面化粧台１であって、収納スペース５にはガイド部４が設けられていて、引出し３の出し入れ開閉時の前後Ｘ方向の動きがそのガイド部４でスライドガイドされ、引出し３が最も前方に引出された状態である全開位置において、スライドガイドが解除されて引出し３が床面８により支持されるようになしたものである。【選択図】図１
2006325949.tif 000002
【特許請求の範囲】
【請求項１】
台輪部の前面に開口してその内部に引出しが出し入れされる収納スペースを備えた洗面化粧台であって、収納スペースにはガイド部が設けられていて、引出しの出し入れ開閉時の前後方向の動きがそのガイド部でスライドガイドされ、引出しが最も前方に引出された状態である全開位置において、前記スライドガイドが解除されて引出しが床面により支持されるようになしたことを特徴とする洗面化粧台。
【請求項２】
請求項１に記載の洗面化粧台において、ガイド部は前下がりに傾斜したガイドレールであって、引出し前部に補助ローラ、引出し後部に主ローラが付設されており、ガイドレールで主ローラを受けることによって、引出し開閉の前後方向の動きがスライドガイドされるものであることを特徴とする洗面化粧台。
【請求項３】
請求項２に記載の洗面化粧台において、補助ローラは常に床面に接しており、主ローラは引出しの全開位置でのみ床面と接するものであることを特徴とする洗面化粧台。
【請求項４】
請求項１〜３のいずれか一項に記載の洗面化粧台において、引出しには体重計が使用可能な状態で収納設置されるものであることを特徴とする洗面化粧台。
【発明の詳細な説明】
【技術分野】
【０００１】
本願発明は、台輪部に引出しを設けた洗面化粧台に関するものである。
【背景技術】
【０００２】
従来から、特開２００２−１０９３５号公報に示される如く、台輪部に引出しを設けた洗面化粧台が知られている。この種の洗面化粧台では、一般に、同公報でも説明されるように、図６に示す如く洗面化粧台１の下部に設けられた台輪部２に引出し３が設けられており、引出し３の前面部１５に設けられた引手を用いて引出し３を前後方向に開閉する。
【０００３】
しかしながら、この場合には、引出し３の荷重を考慮した結果、引出し３を支持するためのガイドレール等の部品を荷重に耐えることを可能にする必要があって、そのために部品点数が多くなるという問題点があった。また、引出し３が最も前方に引出された全開位置にある場合においては、引出し３を支持するためのガイドレール等の部品に過大な負荷がかかるという問題があった。
【特許文献１】特開２００２−１０９３５号公報
【発明の開示】
【発明が解決しようとする課題】
【０００４】
本願発明は、上記背景技術に鑑みて発明されたものであり、その課題は、ガイドレール等の部品点数を減少させ、全開位置にある引出しの支持部材に過大な負荷をかけない洗面化粧台を提供することである。
【課題を解決するための手段】
【０００５】
上記課題を解決するために、請求項１に係る洗面化粧台の発明にあっては、台輪部の前面に開口してその内部に引出しが出し入れされる収納スペースを備えた洗面化粧台であって、収納スペースにはガイド部が設けられていて、引出しの出し入れ開閉時の前後方向の動きがそのガイド部でスライドガイドされ、引出しが最も前方に引出された状態である全開位置において、前記スライドガイドが解除されて引出しが床面により支持されるようになしたものである。
【０００６】
請求項２に係る洗面化粧台の発明にあっては、請求項１に記載の洗面化粧台において、ガイド部は前下がりに傾斜したガイドレールであって、引出し前部に補助ローラ、引出し後部に主ローラが付設されており、ガイドレールで主ローラを受けることによって、引出し開閉の前後方向の動きがスライドガイドされるようになしたものである。
【０００７】
請求項３に係る洗面化粧台の発明にあっては、請求項２に記載の洗面化粧台において、補助ローラは常に床面に接しており、主ローラは引出しの全開位置でのみ床面と接するようになしたものである。
【０００８】
請求項４に係る洗面化粧台の発明にあっては、請求項１〜３のいずれか一項に記載の洗面化粧台において、引出しには体重計が使用可能な状態で収納設置されるようになしたものである。
【発明の効果】
【０００９】
請求項１の洗面化粧台においては、引出しの出し入れ開閉時の前後方向の動きがガイド部でスライドガイドされ、引出しが最も前方に引出された状態である全開位置において、スライドガイドが解除されて引出しが床面により支持されるようになしたことから、全開位置における引出しの荷重が床面で受けられてガイド部には過大な負担がかからない。従って荷重を支えるための部品が不要となる分、部品点数を削減できる。
【００１０】
請求項２の洗面化粧台においては、ガイド部は前下がりに傾斜したガイドレールであり、このガイドレールで主ローラを受けることによって、引出し開閉の前後方向の動きがスライドガイドされるようになしたことから、引出しが自重により、自動的に前方の全開位置に移動するようになって、引出しを前方に移動させる力が不要となり、また引出しが全開位置まで移動することから、引出し奥に収納されている物を取り出しやすくなり、引出しを使用する者の足腰の負担が軽減される。また、引出しを閉じるのに要する力も、補助ローラと主ローラの働きによって軽減され、引出しを使用する者の足腰の負担が軽減される。さらに、ガイドレールと主ローラ、補助ローラを用いることで、前方の全開位置に移動する引出しが安価に実現可能となる。
【００１１】
請求項３の洗面化粧台においては、補助ローラは常に床面に接しており、主ローラは引出しの全開位置でのみ床面と接するようになしたことから、全開位置における引出しは、比較的簡易な方法で位置決めを行うことが可能となる。また、補助ローラで受ける引出しのガイド部に対する荷重は考慮する必要がなくなる。さらに、補助ローラは床面をガイドなしで移動することから、補助ローラをスライドガイドするためのガイドレールが不要となる。
【００１２】
請求項４の洗面化粧台においては、引出しには体重計が使用可能な状態で収納設置されるようになしたことから、体重計の使用者は、引出しから体重計を取り出して計測し、計測後再び体重計を引出しに収納する必要がなくなるため、体重計を使用する者にとっての利便性が向上する。
【発明を実施するための最良の形態】
【００１３】
図１〜５は、本願の請求項１〜４全てに対応した一実施形態である洗面化粧台１を示している。この洗面化粧台１にあっては、台輪部２の前面に開口してその内部に引出し３が出し入れされる収納スペース５を備えており、収納スペース５にはガイド部４が設けられていて、引出し３の出し入れ開閉時の前後Ｘ方向の動きがそのガイド部４でスライドガイドされ、引出し３が最も前方に引出された状態である全開位置において、前記スライドガイドが解除されて引出し３が床面８により支持されるようになっている。
【００１４】
また、この洗面化粧台１にあっては、ガイド部４は前下がりに傾斜したガイドレール４であり、引出し３前部に補助ローラ６、引出し３後部に主ローラ７が付設されていて、ガイドレール４で主ローラ７を受けることによって、引出し３開閉の前後Ｘ方向の動きがスライドガイドされるようになっている。また、補助ローラ６は常に床面８に接しており、主ローラ７は引出し３の全開位置でのみ床面８と接するようになっている。そして、引出し３には体重計１６が使用可能な状態で収納設置されるようになっている。
【００１５】
以下、この実施形態の洗面化粧台を、より具体的詳細に説明する。この実施形態の洗面化粧台１は、図１に示す如く台輪部２を有し、この台輪部２前面に設けられた開口部内に引出し３が収納される収納スペース５を有している。また引出し３は開閉時に前後の方向Ｘに動く。図１の引出し３は最も前方に引出された全開位置にあり、床面８のみによって支持されている。
【００１６】
図２は、引出し３が最も後方である収納位置にある様子を示している。洗面化粧台１にはガイドレール４が前下がりに傾斜して設けられており、引出し３後部に設けられた主ローラ７を支持している。ラッチ１３は引出し３に設けられ、キャッチ１４は洗面化粧台１に設けられていて、ラッチ１３とキャッチ１４が嵌合することで引出し３が前方に動かないように固定している。引出し３を開けるために引出し３の前面部１５を押すと、ラッチ１３とキャッチ１４の嵌合が外れ、引出し３は前下がりに傾斜したガイドレール４にガイドされて、引出し３後部の主ローラ７と引出し３前部の補助ローラ６により自重で前方に動く。引出し３を手前に引出す力が不要であることから、従来例図６の引出し３の前面部１５に設けられている引手部材が不要となり、部材点数を減少させることが可能となり、また引出し３を手前に引く力が不要となったことで、使用者の足腰に対する負担が軽減される。
【００１７】
図３は引出し３が最も手前に引出された全開位置にある状態を示す。ラッチ１３とキャッチ１４の嵌合は外れており、引出し３は自重により、主ローラ７がガイドレール４にガイドされて全開位置まで移動する。全開位置まで移動した引出し３は、主ローラ７がストッパ１０に接することより停止させられる。引出し３は、引出し３の後部を上方向Ｙに動かすという単純な動作によって、ガイドレール４から外して自由に移動させることが可能となる。また、洗面化粧台１から取り外した引出し３は、補助ローラ６と主ローラ７によって床面８上を容易に移動させることが可能となる。
【００１８】
図４は収納位置付近にある引出し３とガイドレール４を上方から見た様子を示す。引出し３は、補助ローラ６と、主ローラ７によって支持されている。図４の位置から更に後方に引出し３を移動させると、ラッチ１３とキャッチ１４が嵌合することにより、引出し３が収納位置に固定される。収納位置付近においても、引出し３前方に設けた補助ローラ６は床面８によってのみ支持されている。補助ローラ６の動きをガイドするガイドレールを設けていないことを原因として、図４に示す様に引出し３が本来の収納位置からずれることがあり、これを防ぐため、ガイドレール４の前端部分に、ガイド補正部１１を設けている。図４に示すように引出し３が本来の収納位置からずれている場合には、ラッチ１３とキャッチ１４が嵌合せずに引出し３が収納位置に固定されない事態や、また引出し３を開ける場合にガイドレール４と平行に移動せずに全開位置まで引出し３が移動しない事態が発生するが、ガイド補正部１１を設けたことにより、補助ローラ６がガイド補正部１１に接触することで、引出し３の位置ずれが補正される。ガイド補正部１１を設けたことにより、ガイドレール４には主ローラ７の位置ずれを防ぐ複雑な機構を設ける必要が無くなり、部品点数の減少、部品の単純化を実現する。
【００１９】
引出し３が全開位置に移動の際に、主ローラ７はガイドレール４に設けられた凸部９の上を越えて床面８に達し、ストッパ１０によって停止する。主ローラ７が全開位置においてのみ床面８によって支持される構造としたことにより、全開位置にある引出し３は、凸部９とストッパ１０という比較的単純な構造によって位置決めが可能となる。本実施形態においても、凸部９はガイドレール４の一部を加工したものであり、新たな部品を付加しないで実現されている。なお、凸部９は、全開位置にある引出し３の位置決めを行うが、引出し３を閉める動きは、主ローラ７が凸部９を乗り越える力を引出し３に加えることで実現される。全開位置における引出し３位置決め効果を増大させるため、引出し３の下部には、滑り止め部１２が設けられている。滑り止め部１２は、全開位置以外においては、主ローラ７が床面８よりも高い位置に設けられているガイドレール４に支持されているため、床面８と接触しない。全開位置において、引出し３が床面８のみによって支持される状態でのみ、滑り止め部１２と床面８は接触し、全開位置における引出し３の位置決めを行う。また、全開位置における引出し３に人が乗るなどして、引出し３への荷重を増加させた場合には、滑り止め部１２と床面８間の摩擦力が増大し、滑り止め部１２による位置決め効果も増加する。
【００２０】
図５は、図４の要部Ｚの拡大図である。引出し３は収納位置にあり、引出し３前部に設けた補助ローラ６はガイド補正部１１に接しており、位置ずれが補正されている。引出し３が全開位置にある場合は、引出し３後部に設けた主ローラ７が、凸部９とストッパ１０の間にて、床面８に支持される。この実施形態で凸部９は、ガイドレール４の一部を上方に折り曲げて形成されている。
【００２１】
図１に示すように引出し３が全開位置にある場合は、図４の凸部９とストッパ１０、滑り止め部１２によって位置決めがされるため、図１に示す体重計１６は引出し３に収納された状態のまま使用可能となる。人が体重計１６に乗って、引出し３への荷重が増加すると、滑り止め部１２と床面８との摩擦力が増大し、体重計１６を使用中に引出し３が移動することを防ぐ。
【００２２】
図１に示す体重計１６は電子式であり、その計測結果は表示部２０に表示される。表示部２０は、洗面化粧台１のカラン付近に設けられている。表示部２０と図３に示す赤外線通信部１９間は配線されており、情報通信が可能である。図１の体重計赤外線通信部１８と図３の赤外線通信部１９の間は赤外線通信を行う。体重計１６の計測結果は、図１に示す体重計赤外線通信部１８と、図３に示す赤外線通信部１９間の赤外線通信と、赤外線通信部１９と表示部２０間の配線を経由する情報通信によって表示部２０に送信される。表示部２０で計測結果を確認する場合、体重計１６に計測結果の表示部がある場合に比べて計測結果を確認することが容易となり、またかがんで表示を確認する体の動きを行う必要がなくなる事から、安全に計測結果を確認可能である。
【００２３】
図３に示すスイッチ１７は、引出し３が全開位置に移動すると、体重計１６の電源を「入」にする。その仕組みを以下に示す。スイッチ１７には、主ローラ７を検知する腕部が、ガイドレール４の方向に向けて設けられている。腕部が主ローラ７を検知しない状態では、スイッチは「切」であり、主ローラ７を検知している間のみ、スイッチ１７は「入」となる。全開位置において主ローラ７がスイッチ１７の腕部に接触して上に押し上げることにより、スイッチ１７が「入」となり、まず図３の赤外線通信部１９及び図１の表示部２０の電源が「入」となる。電源が「入」となった赤外線通信部１９から、体重計１６の電源を「入」にする信号が送信され、その信号を体重計赤外線通信部１８にて受信した体重計１６の電源が「入」となる。この信号は、赤外線通信部１９の電源が「入」の間送信される。引出し３を全開位置から移動すると、主ローラ７がスイッチ１７の腕部を押し上げなくなることにより、スイッチ１７が「切」となり、まず図３の赤外線通信部１９及び図１の表示部２０の電源が「切」となる。電源が「切」となった赤外線通信部１９から、体重計１６の電源を「入」にする信号が送信されなくなってから一定時間が経過すると、体重計１６内に設けられたタイマが、体重計１６の電源を「切」にする。
【００２４】
なお、上記は好ましい実施形態であって、本願発明は上記実施形態に限定されない。また、体重計１６としては、体重のみを計測するものや、体重を計測した結果を利用して体脂肪を算出するものであってもよい。
【図面の簡単な説明】
【００２５】
【図１】本願発明の一実施形態である洗面化粧台の斜視図
【図２】収納位置にある引出しの斜視図
【図３】全開位置にある引出しの斜視図
【図４】上方より見た引出しの平面図
【図５】図４の要部Ｚを拡大した平面図
【図６】従来例の洗面化粧台の斜視図
【符号の説明】
【００２６】
１  洗面化粧台
２  台輪部
３  引出し
４  ガイド部（ガイドレール）
５  収納スペース
６  補助ローラ
７  主ローラ
８  床面
９  凸部
10  ストッパ
11  ガイド補正部
12  滑り止め部
13  ラッチ
14  キャッチ
15  前面部
16  体重計
17  スイッチ
18  体重計赤外線通信部
19  赤外線通信部
20  表示部
Ｘ  引出し開閉時の前後方向
Ｙ  引出しをガイドレールから取り外す方向
Ｚ  図４の要部
【図１】
2006325949.tif 000003
【図２】
2006325949.tif 000004
【図３】
2006325949.tif 000005
【図４】
2006325949.tif 000006
【図５】
2006325949.tif 000007
【図６】
2006325949.tif 000008